(57)【要約】【課題】作業性のよい清掃用具用ホルダを提供する。【解決手段】清掃用具用ホルダ１０は、液体を保持可能な第１および第２容器部２０，３０と、第１および第２容器部２０，３０を傾斜させた状態で保持する保持部１１と、保持部１１を、作業者が腰に着用したベルトに装着する装着部１２とを含む。【選択図】図１
2009172185.tif 000002
【特許請求の範囲】
【請求項１】
液体を保持可能な容器部と、
前記容器部を傾斜させた状態で保持する保持部と、
前記保持部を腰に着用したベルトに装着する装着部とを含む、清掃用具用ホルダ。
【請求項２】
前記保持部は三角形状であり、前記保持部は、前記三角形状の斜辺で前記容器部を保持することによって、前記容器部を傾斜させた状態で保持する、請求項１に記載の清掃用具用ホルダ。
【請求項３】
前記容器部は、液体を保持するバケツ部と、前記バケツ部の上部に設けられ、清掃用具を出し入れするための開口部とを含む、請求項１または２に記載の清掃用具用ホルダ。
【請求項４】
前記バケツ部は、底部と壁部とを有し、前記開口部は前記壁部の上部の一部が切り欠かれた部分を有する、請求項３に記載の清掃用具用ホルダ。
【請求項５】
前記開口部の端部は、外部方向に開いている、請求項３または４に記載の清掃用具用ホルダ。
【請求項６】
前記開口部は上部開口部と、前記上部開口部に連続した側部開口部とを含み、前記側部開口部は、外部に向かって延在する突出部を含む、請求項３から５のいずれかに記載の清掃用具用ホルダ。
【発明の詳細な説明】
【技術分野】
【０００１】
この発明は、清掃用具用ホルダに関し、特に、使い易い清掃用具用ホルダに関する。
【背景技術】
【０００２】
作業者が工具等を保持するホルダが、たとえば、実開昭５８−１２６０２１号公報（特許文献１）に開示されている。特許文献１によれば、手ハッカーを保持するホルダにおいて、手ハッカーの挿入部を、人がホルダを保持するベルトの挿通口の軸線に対して、所定角度傾斜して設けている。
【特許文献１】実開昭５８−１２６０２１号公報（要約）
【発明の開示】
【発明が解決しようとする課題】
【０００３】
従来の工具等を保持するホルダは上記のように構成されていた。手ハッカーのような工具の挿入部を、ベルトの挿通口の軸線に対して、所定角度傾斜して設けたため、工具の出し入れは容易であった。しかしながら、このような構成は工具用のホルダに限られ、清掃用具用ホルダについての考慮はされていなかった。
【０００４】
この発明は上記のような問題点に鑑みてなされたもので、作業性のよい清掃用具用ホルダを提供することを目的とする。
【課題を解決するための手段】
【０００５】
この発明に係る清掃用具用ホルダは、液体を保持可能な容器部と、容器部を傾斜させた状態で保持する保持部と、保持部を腰に着用したベルトに装着する装着部とを含む。
【０００６】
この発明においては、液体を保持可能な容器部を傾斜させた状態で保持するようにしたため、清掃用具をホルダから取り出したり、収納するのが容易である。
【０００７】
その結果、作業性のよい清掃用具用ホルダを提供できる。
【０００８】
好ましくは、保持部は三角形状であり、保持部は、三角形状の斜辺で容器部を保持することによって、容器部を傾斜させた状態で保持する。
【０００９】
さらに好ましくは、容器部は、液体を保持するバケツ部と、バケツ部の上部に設けられ、清掃用具を出し入れするための開口部とを含む。
【００１０】
バケツ部は、底部と壁部とを有し、開口部は壁部の上部の一部が切り欠かれた部分を有するのが好ましい。
【００１１】
開口部の端部は、外部方向に開いていてもよいし、開口部は上部開口部と、上部開口部に連続した側部開口部とを含み、側部開口部は、外部に向かって延在する突出部を含んでもよい。
【発明を実施するための最良の形態】
【００１２】
以下、この発明の実施の形態を、図面を参照して説明する。図１はこの発明の一実施の形態に係る清掃用具用ホルダの全体構成を示す斜視図である。図１を参照して、清掃用具用ホルダ１０は、清掃用具としての、たとえば、スクイジーおよびウオッシャをそれぞれ収納可能な第１および第２容器部２０，３０と、第１および第２容器部２０，３０を保持する保持部１１と、保持部１１を腰に着用したベルト等に装着する装着部１２とを含む。
【００１３】
ここでウオッシャは、洗浄液を含ませて窓ガラス等を清掃するものであり、スクイジーは、洗浄後の汚れを拭き取るものである。このような清掃用具は、たとえば、ビル等の高所の窓の清掃に使用されるが、このような作業時に洗浄液を地上にしか置けないとすれば、作業者は一々地上と高所の往復をすることになり、効率が悪い。そこで、この実施の形態においては、清掃用具用ホルダに一定量の洗浄液を保持可能な容器部を設けた。
【００１４】
図１に示すように、保持部１１は三角形状を有し、その斜辺部分１１ａで第１容器部２０を保持し、上部の辺１１ｂで装着部１２に接続されている。それによって、装着部１２を用いて人が腰ベルトに清掃用具用ホルダ１０を保持したとき、第１容器部２０が斜めに保持される。第１容器部２０の保持部１１とは反対側には、第１容器部２０と相似形ではあるが、全体的に寸法の小さい第２容器部３０がその背面部がほぼ揃うように取り付けられている。
【００１５】
第１容器部２０は、洗浄水を保持する、直方体状のバケツ部２１と、バケツ部２１の上に設けられた、清掃用具を出し入れするための開口部２５とを含む。バケツ部２１は約５００ｍｌの洗浄液を保持する容量を有している。開口部２５は、上部だけでなく、保持部１１の斜辺に沿った部分にも開口を有している。
【００１６】
図２は、図１において、清掃用具用ホルダ１０を、第１および第２容器部２０，３０側から見た正面図であり、図３は、図２において、矢印ＩＩＩ-ＩＩＩで示す矢視図であり、図４は、図２において、矢印ＩＶ-ＩＶで示す矢視図である。なお、図３においては、装着部１２を展開した状態で示し、図４においては、装着部１２の一部を省略している。
【００１７】
図１から図４を参照して、第１容器部２０のバケツ部２１は、底部２２と、底部２２から上部に立上がる４つの壁部２３ａ〜２３ｄとを有している。開口部２５は、４つの壁部２３ａ〜２３ｄのうち２３ａを除く３つの壁部２３ｂ〜２３ｄに連続する３つの壁部２６ｂ〜２６ｄを含み、壁部２３ａは上端部２８を有し、その上部の側面が開放されて、清掃用具の出し入れが容易になっている。開口部２５の両側面（バケツ部２１の壁部２３ｂ，２３ｄに連続する部分）２６ｂ，２６ｄは、外部方向に延びる突出部２７ａ，２７ｂを有している。この突出部２７ａ，２７ｂは、清掃用具を出し入れするときのガイド部材となる。
【００１８】
また、開口部２５の頂部（底部２２に対向する部分）２６は、外部へいくほどその開口寸法が大きくなるよう外部に開いた寸法になっているのが好ましい。この場合も、この外部に開いた部分が清掃用具を出し入れするときのガイド部材となる。
【００１９】
第２容器部３０も基本的に第１容器部２０と同様の形状を有しており、同一部分に対応する参照番号を付して、その説明は省略する。なお、第１容器部２０と第２容器部３０との底部２２，２３は図３に示すように、連続していてもよい。
【００２０】
次に、装着部１２について説明する。装着部１２は、保持部１１に連続して設けられた帯部１２ａと、帯部１２ａに連続した先端部１２ｂとを含む。帯部１２ａの保持部１１の近傍には、幅方向に２つの金属製の止め具１４ａ，１４ｂが設けられている。止め具１４ａ，１４ｂは、それぞれ、軸１４１と、軸１４１に回転可能に設けられた長手部材１４２とを含む。この長手部材１４２は、長手部材１４２を縦方向に向けたとき、先端部１２ｂの止め具１４ａ，１４ｂに対応する部分に設けられた長穴１３ａ，１３ｂに貫通可能である。このように貫通させた状態で、長手部材１４２を横方向に回転することによって、図３において点線で示す、ベルト貫通部１５を形成できる。したがって、清掃用具用ホルダ１０を容易にベルトに着脱自在にできる。
【００２１】
なお、容器部２０，３０は洗浄液を保持するため、プラスチック等で形成されているのが好ましい。また、装着部１２は、所定の強度と柔軟性を有するものであれば何でもよいが、皮革で形成されているのが好ましい。保持部１１も、所定の強度と柔軟性を有するものであれば何でもよいが、プラスチックで形成されているのが好ましい。保持部１１の斜辺部分１１ａは、図２において点線で示すように第１容器部２０と重なった部分を有し、その部分において両者は任意の留め具、または接着剤等で固定される。その結果、容器部２０，３０は、保持部１１に対して、任意の方向に向きうる。保持部１１に対して容器部２０，３０を直交するように向けた場合の例を図５に示す。ここでは、一点鎖線１１ｃで示す線で容器部２０，３０は、保持部１１に対して、折り曲げられている。
【００２２】
なお、上記実施の形態においては、バケツ部をその底部が多角形で、側面が矩形状である場合について説明したが、これに限らず、任意の形状でよい。
【００２３】
また、上記実施の形態においては、バケツ部として、大小２個設けた場合について説明したが、これに限らず、サイズおよび個数は保持する清掃用具に合わせた任意でよい。
【００２４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００２５】
この発明に係る清掃用具用ホルダは、洗浄液を保持しながら、清掃用具の出し入れが容易であるため、清掃用具用ホルダとして有利に使用される。
【図面の簡単な説明】
【００２６】
【図１】この発明の一実施の形態に係る清掃用具用ホルダの斜視図である。
【図２】清掃用具用ホルダを保持部側から見た図である。
【図３】図２において矢印ＩＩＩ-ＩＩＩで示す矢視図である。
【図４】図２において矢印ＩＶ-ＩＶで示す矢視図である。
【図５】保持部に対して容器部の向きを変えた状態を示す図である。
【符号の説明】
【００２７】
１０  清掃用具用ホルダ、１１  保持部、１２  装着部、２０  第１容器部、２１，３１  バケツ部、２５，３５  開口部、３０  第２容器部。
【図１】
2009172185.tif 000003
【図２】
2009172185.tif 000004
【図３】
2009172185.tif 000005
【図４】
2009172185.tif 000006
【図５】
2009172185.tif 000007